(57)【要約】      （修正有）【課題】多様な装置が柔軟に収納され、その装置と密接な関係がある所望の付加装置の確実な着脱が達成される筐体を提供する。【解決手段】電子装置５１と並行して作動する付加装置１４が嵌挿される一方の開口部の縁が折り返され、かつ内部にその電子装置５１が収納される導電性の筒体１３、１１ＢＰと、筒体１３、１１ＢＰの内壁の内、一方の開口部の折り返された部位より内側の内壁に支持され、その筒体１３、１１ＢＰの内部において電子装置５１と付加装置１４とがそれぞれ位置する２つの領域の境界に配置された補強部材１１ＳＴとを備えて構成される。【選択図】図２
2005183651.tif 000002
【特許請求の範囲】
【請求項１】
電子装置と並行して作動する付加装置が嵌挿される一方の開口部の縁が折り返され、かつ内部にその電子装置が収納される導電性の筒体と、
前記筒体の内壁の内、前記一方の開口部の折り返された部位より内側の内壁に支持され、その筒体の内部において前記電子装置と前記付加装置とがそれぞれ位置する２つの領域の境界に配置された補強部材と
を備えたことを特徴とする筐体。
【請求項２】
電子装置と並行して作動する複数の付加装置が並行して嵌挿される一方の開口部の縁が個別に折り返され、かつ内部にその電子装置が収納される導電性の筒体と、
前記筒体の内壁の内、前記一方の開口部の折り返された部位より内側の内壁に支持され、その筒体の内部において前記電子装置と前記複数の付加装置の集合とがそれぞれ位置する２つの領域の境界に配置された補強部材と
を備えたことを特徴とする筐体。
【請求項３】
請求項２に記載の筐体において、
前記複数の付加装置は、
前記電子装置の強制空冷に供されるファンを個別に有し、
前記複数の付加装置が嵌挿される領域毎に前記一方の開口部を仕切り、これらの領域の間に前記強制空冷の経路の迂回路を形成する仕切り部材を備えた
ことを特徴とする筐体。
【請求項４】
請求項３に記載の筐体において、
前記複数の装置に個別に備えられたファンの有無または稼働状況に基づいてこれらのファンの回転数を増減し、前記強制空冷の効率を規定の範囲に維持する制御手段を備えた
ことを特徴とする筐体。
【請求項５】
縁が折り返された開口部を有する第一の導電性の筐体の内部に収納された電子装置と並行して作動する回路と、
前記開口部に嵌挿する第一の開口部を有し、かつ前記回路が収納される第二の導電性の筐体と
を備えたことを特徴とする付加装置。
【発明の詳細な説明】
【技術分野】
【０００１】
本発明は、内部に所望の装置が収納され、その装置と連係し、あるいは並行して作動する付加装置が側部に取り付けられる筐体と、その付加装置とに関する。
【背景技術】
【０００２】
近年、データ通信網を構成するルータやサーバのように、多様な運用者によって適宜保守あるいは増設が行われる多くの装置は、共通のサイトや局舎（単一のラックであってもよい。）におけるこれらの装置の混載が可能である「ＥＩＡ規格やＪＩＳ規格に適合した筐体」に収納され、あるいは取り付けられている。
図１０は、従来の筐体の構成例を示す図（１）である。
【０００３】
図１１は、従来の筐体の構成例を示す図（２）である。
従来の筐体は、図１０および図１１に示すように、下記の要素から構成される。
・  「金属（アルミニューム等）製の筒体５２」  一方の開口部の縁部において一定の幅（ここでは、その開口部が閉塞されない程度に小さいと仮定する。）の折代がその筒体の軸の方向に直角に折り曲げられ、かつ中空部に所望の装置（ルータ等）を構成する部品が取り付けられたプリント板５１が取り付けられると共に、断面の形状が長方形である。
・  「前カバー５３」  プリント板５１上に形成された電子回路（後述する接栓座５１Ｒ-1、５１Ｒ-2を含む。）に接続され、その電子回路のマンマシンインタフェースおよび外部との接続に供される電子部品が取り付けられると共に、上述した筒体５２の他方の開口部に嵌合し（あるいは締結され）、かつこの電子回路で発生した電磁気雑音が外部に放射されることを回避可能であって、その外部に対する通気路に相当するスリット等が予め形成される。
・  「化粧枠５６」  後述する２つの電源ユニット５４-1、５４-2（電源ユニット５４-2については、筒体５２の内部の図示を明確とするために、図１０における図示を省略する。）が上述した一方の開口部に隣接して取り付けられた状態で、これらの電源ユニット５４-1、５４-2の一部がそれぞれ収納される直方体状の金属性の箱体からなる筐体５５-1、５５-2（ここでは、幅ｗが上述した一方の開口部の幅Ｗ（＜１９インチ）の半分（＝Ｗ／２）であり、かつ厚みｔがその一方の開口部の厚みＴに等しいと仮定する。）と、既述の筒体５２との双方に被装可能な略「コ」の字状の断面形状を有する。
【０００４】
また、上述した筐体５５-1は、下記の通りに形成される。
・  筒体５２の一方の開口部において既述の折代に寸法および形状が等しい折代が開口部に確保され、この開口部が狭められる方向にその折代が直角に折り曲げられる。
・  筐体５５-1の底部は、着脱可能な金属製の板状体５５Ｂ-1として構成される。
・  その板状体５５Ｂ-1の所定の箇所には、２つの通気孔５７-11、５７-12と、外部から自在に回転が可能な２つの化粧ビス５８-11、５８-12が取り付けられ、これらの通気孔５７-11、５７-12の内側にファン５９-11、５９-12が取り付けられる。
・  筐体５５-1の開口部と筒体５２の一方の開口部とにおいてそれぞれ既述の通りに直角に折り曲げられた折代には、両者のネジ止めに供される所定の数のネジに個別に螺合するネジ孔が形成される。
【０００５】
さらに、電源ユニット５４-1は、下記の要素から構成される。
・  「プリント板６１」一端が既述の板状体５５Ｂ-1に取り付けられ、かつ接栓座５１Ｒ-1に適合する接栓６０Ｐ-1が他端に配置される。
・  「電源回路６２-1」  そのプリント板６１-1上に形成され、上述した接栓６０Ｐ-1および接栓座５１Ｒ-1を介してプリント板５１に配置された回路に電力を供給し、かつファン５９-11、５９-12を駆動する。
【０００６】
なお、電源ユニット５４-2および筐体５５-2の構成については、それぞれ電源ユニット５４-1および筐体５５-1の構成と同じであるので、ここでは、その説明および図示を省略し、以下では、対応する符号に第一の添え番号として「１」に代わる「２」を付加することによって表記する。
このような構成の筐体が適用された装置は、下記の手順に基づいて組み立てられる。
(1) 組み立てが完了したプリント板５１が筒体５２の中空部内に取り付けられる。
(2) その筒体５２の他方の開口部に、前カバー５３が取り付けられる。
(3) 組み立てが完了した電源ユニット５４-1、５４-2に対する化粧ビス５８-11、５８-12、５８-21、５８-22の螺合が解除され、かつ筐体５５-1、５５-2の底部から板状体５５Ｂ-1、５５Ｂ-2が取り外される。なお、この過程であっても、ファン５９-11、５９-12に対する電力の供給路は、電源回路６２-1、６２-2にそれぞれ接続されたリード線を介して維持されると仮定する。
(4) 筐体５５-1、５５-2の底部（上記の板状体５５Ｂ-1、５５Ｂ-2が取り外されることによって形成された孔）側から、筒体５２の一方の開口部に対する筐体５５-1、５５-2の開口部の螺合に供されるネジのねじ込みが行われる。
(5) 上記(3) と反対の作業によって、筐体５５-1、５５-2の底部が板状体５５Ｂ-1、５５Ｂ-2によって閉塞される。
(6) 筐体５５-1、５５-2および筒体５２の底面以外の外壁に対して化粧枠５６が被装される。
【０００７】
なお、本発明と同様に筐体の剛性が高められ、あるいは高く維持される先行技術には、例えば、下記の特許文献１がある。
【特許文献１】特開２００１−１４８５７８号公報
【発明の開示】
【発明が解決しようとする課題】
【０００８】
ところで、上述した従来例では、プリント板５１上に配置された電子回路で発生した電磁気雑音が筐体の外部に放射されることが回避されるためには、筒体５２と筐体５５-1、５５-2との間の電気的な接続が既述のネジを介する螺合によって確実に維持され、あるいは図１２の(1) に示すように、これらの筒体５２と筐体５５-1、５５-2との間に導電性のバネ７１等を介して同様の電気的な接続が密接かつ安定に維持されなければならなかった。
【０００９】
また、このようなバネ７１が適用された場合には、そのバネ７１によって筒体５２および筐体５５-1、５５-2の開口部に強い圧力が加えられるにもかかわらず、一般に、これらの筒体５２と筐体５５-1、５５-2とが薄く、かつ軽量の金属で形成されることが望ましいために、図１２の(2) に示すように、少なくとも筒体５２の該当する開口部近傍に、その圧力に応じた形状の変形を防止する補強部材７２が取り付けられなければならなかった。
【００１０】
しかし、筒体５２の中空部内の内、既述のプリント板５１を含む所望の部品が配置可能な空間の体積は、その筒体５２の一方の開口部にある折代によって狭められ、さらに、このような折代がない場合であっても、上記の補強部材７２およびバネ７１によって狭められるために、所望の高密度実装や軽量化が妨げられる可能性が高かった。
さらに、従来例では、プリント板５１上に形成された電子回路で発生する数メガヘルツないし数ギガヘルツに亘る高い周波数帯の電磁気雑音と、電源回路６２-1、６２-2においてスイッチングに基づく電圧変換の過程で発生する数百キロヘルツ以下の帯域の電磁気雑音との何れについても、外部に対する放射の抑圧は、筒体５２と筐体５５-1、５５-2との間における電気的に密な結合の下で実現されていた。
【００１１】
したがって、例えば、電源ユニット５４-2が交換のために取り外され、あるいはその電源ユニット５４-2が実装されることなく、電源ユニット５４-1のみによって行われる電力の供給と強制空冷との下で運転される場合には、電源ユニット５４-2が実装されない状態であっても、上記の高い周波数帯の電磁気雑音が放射されることの回避を可能とする高価なシールドが施されなければならなかった。
【００１２】
また、従来例では、電源ユニット５４-1、５４-2の何れか一方が実装されず、あるいはこれらの電源ユニット５４-1、５４-2の一方に組み込まれた何れかのファンが故障した状態では、電子回路の放熱の効率が低下する。
したがって、電子回路に対する電力の供給が継続して行われても、その電子回路の動作温度が補償されるためには、ファン５９-11、５９-12、５９-12、５９-22の性能または回転数には、十分な余裕度が確保されなければならなかった。
【００１３】
なお、一般に、個々の装置の筐体にプラグイン可能な電源ユニットにファンが組み込まれるとは限らない場合には、ラックに収納される装置の数が多く、かつこれらの装置の本体が個別に実装される筐体の厚みＴが小さいほど、多数の電源ユニットやファンが密度高く実装され、しかも、個々のファンが介在する吸気路や排気路の方向は共通となり難い。
しかし、このような場合には、共通のラックに収納される各装置の筐体のサイズは、吸気口や排気口の方向の不揃いに対する是正や適応を目的としてそのラック内に複雑な通気路が確保されなければならないために、無用に増加する可能性が高かった。
【００１４】
本発明は、コストが大幅に増加し、あるいは構成が複雑化することなく、多様な装置の柔軟な収納が可能であり、かつその装置と密接な関係がある所望の付加装置の確実な着脱が達成される筐体およびその付加装置を提供することを目的とする。
【課題を解決するための手段】
【００１５】
本発明にかかわる第一の筐体では、導電性の筒体の内部に電子装置が収納され、この筒体の一方の開口部の縁は折り返される。さらに、このような一方の開口部には、上述した電子装置と並行して作動する付加装置が嵌挿される。補強部材は、この筒体の内壁の内、一方の開口部の折り返された部位より内側の内壁に支持され、その筒体の内部において電子装置と付加装置とがそれぞれ位置する２つの領域の境界に配置される。
【００１６】
すなわち、筒体の一方の開口部には、嵌挿された付加装置の筐体によって外側の方向に力が加えられるが、その一方の開口部の縁が既述の通りに折り返されることによって剛性が高められ、この一方の開口部の折返された部位の近傍を含む内壁の物理的な強度も補強部材によって高められる。
したがって、筒体の厚みあるいは硬度が小さい場合であっても、上述した付加装置の筐体によって一方の開口部およびその近傍に物理的に作用する曲げに抗する反力が確保され、かつこのような付加装置の着脱が安定に、かつ確度高く達成される。
【００１７】
本発明にかかわる第二の筐体では、導電性の筒体の内部に電子装置が収納され、この筒体の一方の開口部の縁は折り返される。さらに、このような一方の開口部には、上述した電子装置と並行して作動する複数の付加装置が嵌挿される。補強部材は、この筒体の内壁の内、一方の開口部の折り返された部位より内側の内壁に支持され、その筒体の内部において電子装置と複数の付加装置の集合とがそれぞれ位置する２つの領域の境界に配置される。
【００１８】
すなわち、筒体の一方の開口部には、嵌挿された複数の付加装置の筐体によって外側の方向に力が加えられるが、その一方の開口部の縁が既述の通りに折り返されることによって剛性が高められ、この一方の開口部の折返された部位の近傍を含む内壁の物理的な強度も補強部材によって高められる。
したがって、筒体の厚みあるいは硬度が小さい場合であっても、上述した複数の付加装置の筐体によって一方の開口部およびその近傍に物理的に作用する曲げに抗する反力が確保され、かつこれらの付加装置の着脱が安定に、かつ確度高く達成される。
【００１９】
本発明にかかわる第三の筐体では、複数の付加装置は、電子装置の強制空冷に供されるファンを個別に有する。仕切り部材は、これらの付加装置が嵌挿される領域毎に既述の一方の開口部を仕切り、これらの領域の間に強制空冷の経路の迂回路を形成する。
すなわち、「筒体の一方の開口部に並行して嵌挿される個々の装置の形状や寸法に適合した複数の開口部」にその一方の開口部が区分されるにもかかわらず、上述した複数の装置に個別に備えられたファンの内、正常に作動するファンによる強制空冷の負荷の分散が仕切り部材を介して実現される。
【００２０】
したがって、個々の付加装置の形状および寸法だけではなく、これらの付加装置の系構成や状態に対する柔軟な適応が図られ、かつ上述した強制空冷の効率が急激に低下し、あるいは著しく低下することの回避が可能となる。
本発明にかかわる第四の筐体では、制御手段は、複数の装置に個別に備えられたファンの有無または稼働状況に基づいてこれらのファンの回転数を増減し、強制空冷の効率を規定の範囲に維持する。
【００２１】
すなわち、上述した複数の装置の内、実装されていない装置に備えられたファンと、実装された装置に備えられても正常に作動していないファンとによって負担されるべき強制空冷の負荷の全てまたは一部は、実装された装置に備えられ、かつ正常に作動しているファンによって補われる。
したがって、これらの複数の装置に個別に備えられるファンの性能が無用に高く設定され、あるいはこれらのファンの駆動に無用に多くの電力が消費されることなく、強制空冷の効率が高く維持される。
【００２２】
本発明にかかわる第五の筐体では、筒体は補強部材を支承する蓋部材を有し、その蓋部材は既述の一方の開口部の縁の一部または全てを縁部として有し、かつ上述した２つの領域の開閉に供される。
すなわち、上述した蓋部材が取り外された状態では、このような蓋部材が備えられない場合に比べて、既述の電子装置や付加装置にかかわる着脱、調整、点検その他の作業が容易に実現される。
【００２３】
したがって、保守や運用にかかわる効率化および利便性の向上が図られ、かつ総合的な信頼性が高められる。
本発明にかかわる第六の筐体では、蓋部材に近接する補強部材の特定の縁部は、その蓋部材に平行となる形状を有する。蓋部材は、特定の縁部を挟持する。
すなわち、「筒体の一方の開口部に対する安定であって、確実な付加装置の装着」のためにその一方の開口部に確保されるべき剛性および物理的な強度は、その筒体の内部に大きな部材が取り付けられることなく安価に確保される。
【００２４】
したがって、従来例に比べて、筒体の内部に収納される電子装置と、その筒体の一方の開口部に装着される付加装置との体積の上限値が拡大され、あるいは本発明にかかわる筐体のサイズの低減や形状の自由度が高められる。
本発明にかかわる第七の筐体では、補強部材は、電子装置から既述の一方の開口部に至るその電子装置の放熱と、この一方の開口部側に対するこの電子装置で発生した電磁気雑音の放射の抑圧とを実現する穴を有する。
【００２５】
すなわち、補強部材は、電子装置の放熱を妨げることなく、その電子装置で発生した電磁気雑音の放射を抑圧する遮蔽部材として作用する。
したがって、上述した一方の開口部に付加装置が嵌挿されていない場合であっても、電子装置による電磁気妨害が抑制され、あるいは緩和される。
本発明にかかわる第一の付加装置では、第二の導電性の筐体は、『「電子装置が収納される第一の導電性の筐体」に備えられ、かつ「縁が折り返された開口部」に嵌挿する第一の開口部』を有する。さらに、その第二の導電性の筐体には、電子装置と並行して作動する回路が収納される。
【００２６】
すなわち、このような回路が収納される導電性の筐体の第一の開口部は、「上述した縁が折り返され、かつ電子装置が収納される導電性の筐体の開口部」に対する嵌挿が可能な素材、形状および寸法で形成される。
したがって、電子装置が収納される筐体の開口部の剛性がその開口部の縁の折り返しによって増強されない場合に比べて、上述した嵌挿は、構成が複雑化することなく、安価に大きな圧力で密接に達成される。
【００２７】
本発明にかかわる第二の付加装置では、回路は、電子装置に電力を供給する。
すなわち、電子装置に電力を供給する電源は、その電子装置が収納される第一の筐体の開口部に嵌挿される他の筐体に収納された付加装置として構成される。
したがって、このような電源が電子装置に一体に組み込まれる場合に比べて、その電子装置の負荷の相違や増減に応じた電源の交換だけではなく、これらの電源と電子装置との構成の柔軟な標準化が可能となる。
【００２８】
本発明にかかわる第三の付加装置では、上記の第二の付加装置において、ファンは、第一の開口部を介する電子装置の強制空冷に供される。
すなわち、「電子装置が収納される筐体の開口部に嵌挿される他の筐体」に収納された付加装置には、その電子装置に電力を供給する回路に併せて、この電子装置の強制空冷に供されるファンが含まれる。
【００２９】
したがって、上述した他の筐体に収納されるべき付加装置の種類および数の削減が図られ、かつ既述の強制空冷の過程で行われる排気または吸気の方向の共通化や併合が容易に達成される。
本発明にかかわる第四の付加装置では、上記の第三の付加装置において、第二の導電性の筐体は、付加装置に隣接して配置された他の付加装置との間に、強制空冷の過程における通気の迂回路となる第二の開口部を有する。
【００３０】
すなわち、『「本発明にかかわる付加装置に併せて上述した他の付加装置」が隣接して配置され、かつ「これらの付加装置に備えられたファンの内、何れか一方」が故障し、あるいは停止した場合』には、上述した強制空冷の負荷の全てまたは一部は、正常に作動する他方のファンによって既述の第二の開口部を介して補われる。
したがって、個々の付加装置の形状および寸法だけではなく、これらの付加装置の系構成や状態に対する柔軟な適応が図られ、かつ上述した強制空冷の効率の急激な低下あるいは著しい低下の回避が可能となる。
【００３１】
本発明にかかわる第五の付加装置では、上記の第四の付加装置において、制御手段は、『第一の筐体の開口部に個別に嵌挿され、かつ本発明にかかわる特定の付加装置と他の付加装置とに備えられたファン』の稼働状況に基づいて、その特定の付加装置に備えられたファンの回転数を増減し、強制空冷の効率を既定の範囲に維持する。
すなわち、上述した付加装置の内、実装されていない付加装置に備えられたファンと、実装された装置に備えられても正常に作動していないファンとによって負担されるべき強制空冷の負荷の全てまたは一部は、実装された装置に備えられ、かつ正常に作動しているファンによって補われる。
【００３２】
したがって、これらの複数の付加装置に個別に備えられるファンの性能が無用に高く設定され、あるいはこれらのファンの駆動に無用に多くの電力が消費されることなく、強制空冷の効率が高く維持される。
【発明の効果】
【００３３】
本発明にかかわる第一および第二の筐体では、筒体の厚みあるいは硬度が小さい場合であっても、付加装置の筐体によってその筒体の一方の開口部およびこの近傍に物理的に作用する曲げに抗する反力が確保され、このような付加装置の着脱が安定に、かつ確度高く達成される。
本発明にかかわる第三の筐体と本発明にかかわる第四の付加装置とでは、個々の付加装置の形状および寸法だけではなく、これらの付加装置の系構成や状態に対する柔軟な適応が図られ、かつ筒体に収納された電子装置の強制空冷の効率が急激に低下し、あるいは著しく低下することの回避が可能となる。
【００３４】
本発明にかかわる第四の筐体と本発明にかかわる第五の付加装置とでは、個々の付加装置に個別に備えられるファンの性能が無用に高く設定され、あるいはこれらのファンの駆動に無用に多くの電力が消費されることなく、既述の強制空冷の効率が高く維持される。
本発明にかかわる第五の筐体では、保守や運用にかかわる効率化および利便性の向上が図られ、かつ総合的な信頼性が高められる。
【００３５】
本発明にかかわる第六の筐体では、従来例に比べて、筒体の内部に収納される電子装置と、その筒体の一方の開口部に装着される付加装置との体積の上限値が拡大され、あるいは本発明にかかわる筐体のサイズの低減や形状の自由度が高められる。
本発明にかかわる第七の筐体では、筒体の一方の開口部に付加装置が嵌挿されていない場合であっても、この筒体に収納された電子装置による電磁気妨害が抑制され、あるいは緩和される。
【００３６】
本発明にかかわる第一の付加装置では、電子装置が収納される筐体の開口部の剛性がその開口部の縁の折り返しによって強化されない場合に比べて、この開口部に対する付加装置の筐体の嵌挿は、構成が複雑化することなく、安価に大きな圧力で密接に達成される。
本発明にかかわる第二の付加装置では、電子装置の負荷の相違や増減に応じた電源の交換だけではなく、これらの電源と電子装置との構成の柔軟な標準化が可能となる。
【００３７】
本発明にかかわる第三の付加装置では、電子装置の強制空冷の過程で行われる排気または吸気の方向の共通化や併合が容易に達成される。
したがって、これらの発明が適用された装置やシステムでは、「コストの増加と構成の複雑化とに併せて、熱設計にかかわる制約の増加」を伴うことなく、軽量化、小型化および高密度実装と、多様な系構成に対する柔軟な適応とが可能となる。
【発明を実施するための最良の形態】
【００３８】
以下、図面に基づいて本発明の実施形態について詳細に説明する。
図１は、本発明の第一ないし第三の実施形態の組み立て図である。
図２は、本発明の第一ないし第三の実施形態の要部の断面図である。
図３は、本発明の第一ないし第三の実施形態にかかわる筐体から上カバーが取り外された状態を示す図である。
【００３９】
図４は、本発明の第一ないし第三の実施形態にかかわる筐体の開閉の過程を示す図である。
図５は、本発明の第一ないし第三の実施形態において電源ユニットが装着される過程を示す図である。
本発明の第一ないし第三の実施形態にかかわる筐体は、図１ないし図５に示すように、基体１１、前カバー１２および上カバー１３から構成され、これらの基体１１、前カバー１２および上カバー１３の基本的な構成は下記の通りである。
【００４０】
基体１１は、下記の要素から構成される。
・「底板１１ＢＰ」  既述のプリント板５１の固定に供されるネジ孔が予め形成された長方形の金属板として構成され、その金属板の一方の短辺に、この短辺の中央に対して対称に２つの長方形の切り欠き部１１Ｎ-R、１１Ｎ-Lが形成されると共に、このプリント板５１上に配置された電子回路の接地に供される。
・「一対のサイドフレーム１１ＳＦ-R、１１ＳＦ-L」  略「コ」の字状の金属板として構成され、上記の底板１１ＢＰの２つの長辺に個別に接合される。
・「仕切り部材１１Ｐ-R、１１Ｐ-C、１１Ｐ-L」  底板１１ＢＰの一方の短辺の内、上述した切り欠き部１１Ｎ-R、１１Ｎ-Lに該当しない３つの凸部の上に、これらの凸部の頂部に一端が揃えられ、その底板１１ＢＰの長辺に平行に個別に突設され、さらに、長さがプリント板５１との間に所定の長さの間隙が確保される共通の値であると共に、後述する第一のスリットが格子状に形成された直方体状の金属または金属片として構成される。
・「補強枠１１ＳＴ」  一端が底板１１ＢＰに接合され（図２の(1))、かつ仕切り部材１１Ｐ-R、１１Ｐ-C、１１Ｐ-Lの他端の全域と、「これらの他端にそれぞれ連なる仕切り部材１１Ｐ-R、１１Ｐ-C、１１Ｐ-Lの頂部の内、所定の長さの領域」とを含む略「Ｌ」字状（図２の(2))の面に被装可能に金属板が成型され、さらに、後述する第二のスリットが格子状に形成されると共に、これらの仕切り部材１１Ｐ-R、１１Ｐ-C、１１Ｐ-Lにネジ止め等により固定される。
【００４１】
なお、以下では、プリント板５１には、既述の回路に併せて、後述するコネクタ１１Ｊ-R、１１Ｊ-Lが配置されると仮定する。
前カバー１２は、下記の通りに構成される。
・  プリント板５１上に配置された部品の内、前カバー１２を介するマンマシンインタフェースに供される部品による電磁気雑音の放射が抑制される形状および寸法に成型された導電性の部材として構成される。
・  底板１１ＢＰの他方の短辺と、「サイドフレーム１１ＳＦ-R、１１ＳＦ-Lの縁部の内、この短辺に連なり、あるいは直近の縁部」とに嵌合する溝に併せて、後述する吸気口を有する。
【００４２】
上カバー１３は、金属板が下記の通りに加工されることによって構成される。
・  サイドフレーム１１ＳＦ-R、１１ＳＦ-Lの外側壁に沿って摺動可能であり、これらのサイドフレーム１１ＳＦ-R、１１ＳＦ-Lにネジ止め可能な一対の側壁１３ＳＷ-R、１３ＳＷ-Lが形成される。
・  仕切り部材１１Ｐ-R、１１Ｐ-Lの一端に対する当接とネジ止めとが可能であって上記の側壁１３ＳＷ-R、１３ＳＷ-Lにそれぞれ結合された折曲部１３Ｂ-R、１３Ｂ-Lが形成される。
・  仕切り部材１１Ｐ-Cの一端に対する当接とネジ止めとが可能であると共に、上カバー１３の頂部の方向に既述の切り欠き部１１Ｎ-R、１１Ｎ-Lが拡張された切り欠き部１３Ｎ-R,１３Ｎ-L と、これらの切り欠き部１３Ｎ-R,１３Ｎ-L の境界に位置する折曲部１３Ｂ-C とが形成される。
・  略「コ」の字状の断面形状を有し、かつ底板１１ＢＰおよびサイドフレーム１１ＳＦ-R、１１ＳＦ-Lと共に前カバー１２に嵌合可能な縁部１３Ｅ が形成される。
【００４３】
また、上述した切り欠き部１１Ｎ-R、１３Ｎ-Rの対と、切り欠き部１１Ｎ-L、１３Ｎ-Lの対とには、着脱可能な電源ユニット１４-R、１４-Lが装着され、これらの電源ユニット１４-R、１４-Lは、下記の要素から構成される。なお、以下では、電源ユニット１４-R、１４-Lに共通の事項については、対応する要素の符号に、添え文字「Ｒ」、「Ｌ」の何れにも該当し得る添え文字「ｂ」を付加して記述する。
・「電源カバー１４Ｃ-b」  金属板が「コ」状に折り曲げられ、かつ縁部が切り欠き部１１Ｎ-b、１３Ｎ-bに嵌挿可能な形状に成形されることによって構成され、さらに、後述する電源回路の接地に供されると共に、頂部にファン１４Ｆ-b 、放熱フィン１４Ｒ-b 、ブレーカ１４ＣＢ-b等が取り付けられる。
・「プリント板１４ＰＣＢ-b 」  この電源カバー１４Ｃ-b に固定され、かつ「上述した放熱フィン１４Ｒ-bおよびブレーカ１４ＣＢ-bを含んで構成された電源回路」と、「上述したファン１４Ｆ-bを駆動する制御回路」とに併せて、「プリント板５１に配置された回路に対する電力の供給およびその回路との連係（何れも、既述のコネクタ１１Ｊ-bを介して達成される。）に必要な物理的な線路の引き渡しに供されるコネクタ１４Ｐ-b」が配置される。
【００４４】
なお、電源カバー１４Ｃ-bの頂部に形成され、かつファン１４Ｆ-bを介する排気に供される排気口は、後述する第一のスリットと同様の条件が成立するスリットの集合として構成され、あるいはこのようなスリットが予め形成された網状部材で覆われる。
［第一の実施形態］
図６は、本発明の第一および第二の実施形態の動作を説明する図である。
【００４５】
以下、図１ないし図６を参照して本発明の第一の実施形態について説明する。
切り欠き部１１Ｎ-b、１３Ｎ-bがそれぞれ形成される底板１１ＢＰおよび上カバー１３の縁部は、図２の(a)、(b)に示すように、所定の長さの折り代に亘って折り返される。以下、これらの縁部については、「折り返し部」と称する。
また、上カバー１３の折り返し部から所定の距離隔たった内壁には、図２に示すように、「補強部材１１ＳＴの縁部が挿嵌可能であり、その縁部の挟持に供される形状および寸法の金属片として構成された挟持金具１３Ｐ」が取り付けられる。
【００４６】
一方、電源カバー１４Ｃ-bは、上述した底板１１ＢＰおよび上カバー１３の「折り返し部」にその電源カバー１４Ｃ-bの対応する縁部（以下、「被挟入部」という。）が挟入されることによって、電源ユニット１４-bの着脱が可能な弾性および剛性が確保される形状、寸法および材質で構成される。
本実施形態にかかわる筐体の組み立ての工程は、下記の通りである。
・  図３に示すように、底板１１ＢＰには、プリント板５１（基本的な動作の確認が完了した所望の電子回路が組み込まれている。）が実装され、かつ前カバー１２が嵌挿されることによって取り付けられる。
・  図４に示すように、サイドフレーム１１ＳＦ-R、１１ＳＦ-Lの外側壁と補強枠１１ＳＴ（仕切り部材１１Ｐ-R、１１Ｐ-C、１１Ｐ-L）の頂部とに沿って、上カバー１３の内壁が摺動し、図５に示すように、上カバー１３（本発明にかかわる第六の筐体および付記６に記載された筐体における「補強部材の特定の縁部」に該当する。）は、前カバー１２に嵌合すると共に、図２(3) に示すように、補強枠１１ＳＴの縁が上カバー１３の内壁と挟持金具１３Ｐとの間に嵌入することによって挟持される。
・  上カバー１３（既述の折曲部１３Ｂ-R、１３Ｂ-C、１３Ｂ-Lを含む。）がサイドフレーム１１ＳＦ-R、１１ＳＦ-Lおよび仕切り部材１１Ｐ-R、１１Ｐ-C、１１Ｐ-Lにネジ止めされる。
・  仕切り部材１１Ｐ-R、１１Ｐ-C（または仕切り部材１１Ｐ-C、１１Ｐ-L）の間に切り欠き部１１Ｎ-b、１３Ｎ-bとして形成される開口部に、プリント板１４ＰＣＢ-bが挿入されることによって、既述のコネクタ１４Ｐ-b がコネクタ１１Ｊ-b （プリント板５１に実装される。）に嵌合し、かつ電源カバー１４Ｃ-bが既述の底板１１ＢＰおよび上カバー１３の「折り返し部」の間に電源カバー１４Ｃ-bの「被挟入部」が挟入される（図２の(4))。
【００４７】
このようにして組み立てられた筐体では、底板１１ＢＰおよび上カバー１３の「折り返し部」には、挟入された電源カバー１４Ｃ-bの「被挟入部」によってその筐体の外側の方向に力が加えられる（図２の(5))。
しかし、これらの「折り返し部」は、底板１１ＢＰおよび上カバー１３が薄い金属板で構成される場合であっても、既述の通りに折り返されているため、挟入された電源カバー１４Ｃ-b によって物理的に作用する曲げに抗する強度が補われる。
【００４８】
さらに、上カバー１３の「折り返し部」の近傍は、その上カバー１３の内壁と挟持金具１３Ｐとで挟まれた領域に補強枠１１ＳＴの「被挟入部」が挟入され、この補強枠１１ＳＴが底板１１ＢＰと、底板１１ＢＰに取り付けられた仕切り部材１１Ｐ-R、１１Ｐ-C、１１Ｐ-Lの頂部等とに固定されているために、底板１１ＢＰおよび上カバー１３が薄い金属板で構成される場合であっても、上述した力に応じた曲げが確度高く回避され、あるいは十分に軽減される。
【００４９】
また、仕切り部材１１Ｐ-R、１１Ｐ-C、１１Ｐ-Lには、「プリント板５１上に配置された電子回路で発生し、かつ周波数が電源ユニット１４-bに備えられた電源回路で発生する電磁気雑音（以下、「低周波電磁気雑音」という。）の周波数帯より高い周波数帯に分布する電磁気雑音（以下、「高周波電磁気雑音」という。）が電源ユニット１４-b側に放射されることと、反対にその「低周波電磁気雑音」がプリント板５１側に放射されることとの双方が抑制される（図６(a))」との条件が成立する形状、寸法およびピッチで第一のスリットが形成される。
【００５０】
さらに、補強枠１１ＳＴには、下記の条件の全てが成立する形状、寸法およびピッチで第二のスリットが形成される。
・  「高周波電磁気雑音」が電源ユニット１４-b側に放射されることと、反対に「低周波電磁気雑音」がプリント板５１側に放射されることとの双方が抑制される（図６(a))。
・  上記の電子回路の強制空冷を実現する通気路（前カバー１２に形成された吸気口からファン１４Ｆ-R、１４Ｆ-Lに至る。）における空気の流れの妨げが許容される程度に少ない。
【００５１】
また、電源カバー１４Ｃ-bの「被挟入部」が上カバー１３の「折り返し部」に対して物理的、かつ電気的に密に接触した状態は、その上カバー１３の「折り返し部」の物理的な強度が既述の通りに折り曲げによって確保され、この上カバー１３の曲げに対する耐力が挟持金具１３Ｐと補強枠１１ＳＴの縁部との係合によって確保されるために、安定に維持される。
【００５２】
したがって、電源ユニット１４-R、１４-Lの何れについても、「底板１１ＢＰ、補強枠１１ＳＴ、仕切り部材１１Ｐ-R、１１Ｐ-C（１１Ｐ-C、１１Ｐ-L)および電源カバー１４Ｃ-b で挟まれ、かつ該当する電源ユニット１４-bがそれそれ実装されるべき空間」の外に、上述した低周波電磁気雑音が放射されることが確度高く抑制される。
このように本実施形態によれば、底板１１ＢＰ、補強枠１１ＳＴ、上カバー１３および電源カバー１４Ｃ-b が薄い金属板で成形されることによって構成されるにもかかわらず、内部の空間が大幅に狭められることなく、その内部で発生する電磁気雑音のシールドに併せて、機械的強度の向上および強制空冷の効率の安定化が図られる。
【００５３】
したがって、本実施形態が適用された電子装置では、性能が劣化することなく安価に、小型化および軽量化が達成され、あるいは熱設計にかかわる制約の緩和に併せて、従来例より大幅な高密度実装が可能となる。
［第二の実施形態］
以下、図１ないし図６を参照して本発明の第二の実施形態について説明する。
【００５４】
本実施形態の特徴は、仕切り部材１１Ｐ-C に形成される第一のスリットの形状、寸法およびピッチにある。
仕切り部材１１Ｐ-Cには、既述の通りに、「高周波電磁気雑音が電源ユニット１４-b側に放射されること」と、「低周波電磁気雑音がプリント板５１側に放射されること」との双方が抑制されるとの条件に併せて、「前カバー１２に形成された吸気口からファン１４Ｆ-R、１４Ｆ-Lに至る２つの通気路の間に、所望の程度で密に結合する迂回路が形成される」との条件が成立する形状、寸法およびピッチで第一のスリットが形成される。
【００５５】
なお、仕切り部材１１Ｐ-R、１１Ｐ-Lに形成される第一のスリットも、このような形状、寸法およびピッチで同様に形成されてもよい。
本実施形態では、２つの電源ユニット１４-R、１４-Lにそれぞれ備えられたファン１４Ｆ-R、１４Ｆ-Lによってそれぞれ形成される第一および第二の通気路の間にも、双方向に通気が可能な経路が形成される。
【００５６】
すなわち、例えば、下記の何れかの状態では、これらの通気路は、図６(b) に示すように、電源ユニット１４-Lに備えられたファン１４Ｆ-Lによって、仕切り部材１１Ｐ-Cに形成された第一のスリットを介してほぼ併合される。
・  常用冗長方式に基づいて作動すべき電源ユニット１４-R、１４-Lの内、電源ユニット１４-Lのみが実装され、かつ正常に作動している状態
・  常用冗長方式に基づいて作動すべき電源ユニット１４-R、１４-Lの内、電源ユニット１４-Rに実装されたファン１４Ｆ-Rが故障（停止）し、かつ電源ユニット１４-Lのみが実装され、かつ正常に作動している状態
したがって、本実施形態によれば、単一の電源ユニットのみによる運転が行われる状態（電源ユニット１４-R、１４-Lの保守や交換の過程を含む。）であっても、その電源ユニットに備えられたファンによる強制空冷が所望の効率で安定に継続される。
［第三の実施形態］
図７は、本発明の第三の実施形態の詳細な構成を示す図である。
【００５７】
図において、電源ユニット１４-bに備えられた電源回路１４ＰＳ-b（プリント板１４ＰＣＢ-bに配置され。）の入力には、図示されない端子盤（ここでは、電源カバー１４Ｃ-b上に配置されると仮定する。）を介して局電源が接続され、その電源回路１４ＰＳ-bの出力は、ファン１４Ｆ-bが有する下記の端子と共に、コネクタ１４Ｐ-bの対応するピンに接続される。
・  ファン１４Ｆ-bに対する電力（ファン用駆動電力）の供給に供される端子
・  ファン１４Ｆ-bに対して設定されるべき２通りの回転数の何れかを示す「制御信号」（ここでは、簡単のため、論理値が「１」であるときに回転数が高く設定されるべきことを示し、その論理値が「０」であるときに回転数が低く設定されるべきことを示すと仮定する。）の引き渡しに供される端子
・  ファン１４Ｆ-bが正常に作動しているか否かを示す「警報信号」の引き渡しに供される端子
・  ファン１４Ｆ-b（電源ユニット１４-b）が実装されているときに限って、そのファン１４Ｆ-b（電源ユニット１４-b）の外部に対する所定の電圧（以下、このような電圧が印可されているか否かの二通りの状態の何れかを示す信号については、「実装信号」という。）の印可に供される端子
一方、プリント板５１には、既述のコネクタ１１Ｊ-R、１１Ｊ-Lを介して電源ユニット１４-R、１４-Lによって並列に電力が供給される既述の電子回路に併せて、『その電子回路と共に電力が供給され、かつこれらのコネクタ１１Ｊ-R、１１Ｊ-Lを介してファン１４Ｆ-R、１４Ｆ-Lとの間で上述した「制御信号」、「警報信号」および「実装信号」が引き渡される制御部５１ＣＮＴ』が配置される。
【００５８】
なお、以下では、コネクタ１４Ｐ-R、１１Ｊ-Rを介して引き渡される「制御信号」、「警報信号」および「実装信号」については、それぞれ「制御信号Ｒ」、「警報信号Ｒ」および「実装信号Ｒ」と称し、コネクタ１４Ｐ-L、１１Ｊ-Lを介して引き渡される「制御信号」、「警報信号」および「実装信号」については、それぞれ「制御信号Ｌ」、「警報信号Ｌ」および「実装信号Ｌ」と称する。
【００５９】
図８は、本発明の第三の実施形態の動作フローチャートである。
図９は、本発明の第三の実施形態の動作を説明する図である。
以下、図１、図２に併せて、図７ないし図９を参照して、本実施形態の動作を説明する。
制御部５１ＣＮＴは、所定の頻度で上述した「警報信号Ｒ」、「実装信号Ｒ」、「警報信号Ｌ」および「実装信号Ｌ」を監視し、かつ電源ユニット１４-R、１４-Lによってそれぞれ電力が正常に供給されているか否かを判別する。  さらに、制御部５１ＣＮＴは、このような監視および判別の結果に応じて、下記の処理を行う。
(1) 電源ユニットの系構成の識別
・  「実装信号Ｒ」、「実装信号Ｌ」の電圧が既述の所定の電圧に等しいか否かを判別する（図８(1))。
・  これらの判別の結果が共に真である場合には、「電源ユニット１４-R、１４-Lが常用冗長方式に基づいて作動していること（以下、「二重化運用」という。）」を識別する（図８(2))。
・  しかし、これらの判別の結果の何れか一方が偽である場合には、該当する電源ユニット（以下、「非実装電源ユニット」という。）を識別し、かつ「電源ユニット１４-R、１４-Lの何れか一方が備えられることなく作動していること（以下、「片系運用」という。）」を識別する（図８(3))。
(2) 電源ユニットの稼働状態の正否の判別
・  電源ユニット１４-R、１４-Lの内、個々の出力に接続されて電源線の電圧と「これらの電圧が維持されるべき正規の値」との差に基づいて、電力の正常な供給を行っている電源ユニット（以下、「正常電源ユニット」という。）の全てを識別する（図８(4)、(5))。
(3) ファンの稼働状態の正否の判別
・  「警報信号Ｒ」、「警報信号Ｌ」の論理値に基づいて、ファン１４Ｆ-R、１４Ｆ-Lがそれぞれ正常に作動しているか否かを判別する。
・  ファン１４Ｆ-R、１４Ｆ-Lの内、その判別の結果が偽であるファン（以下、「故障ファン」という。）の全てを識別する（図８(6)、(7))。
(4) 「片系運用」である場合には、ファン１４Ｆ-R、１４Ｆ-Lの内、先行して識別された「正常電源ユニット」に備えられ、かつ「故障ファン」に該当しないファンのみに与えられるべき「制御信号」の論理値を「１」（回転数が高く設定されるべきことを意味する。）に設定する（図８(8)、図９(1)、(2))。
(5) 「二重化運用」である場合には、下記の各状態の内、この時点における実際の状態（以下、「カレント状態」という。）を識別する（図８(9))。
・  「第一の状態」  電源ユニット１４-R、１４-Lの双方が「正常電源ユニット」に該当し、これらの電源ユニット１４-R、１４-Lにそれぞれ備えられたファン１４Ｆ-R、１４Ｆ-Lの何れもが「故障ファン」に該当しない（図９(3))。
・  「第二の状態」  電源ユニット１４-R、１４-Lの何れか一方が「正常電源ユニット」に該当せず、これらの電源ユニット１４-R、１４-Lにそれぞれ備えられたファン１４Ｆ-R、１４Ｆ-Lの何れもが「故障ファン」に該当しない（図９(4)、(5))。
・  「第三の状態」  ファン１４Ｆ-R、１４Ｆ-Lの何れか一方が「故障ファン」に該当する（図９(6)、(7))。
(5) 識別された「カレント状態」に応じて、ファン１４Ｆ-R、１４Ｆ-Lに対して、個別に電力の供給あるいはその電力の供給の停止と、「制御信号」の論理値の設定とを行う（図８(10)) 。
・  「カレント状態」が「第一の状態」である場合には、ファン１４Ｆ-R、１４Ｆ-Lの双方に対して並行して電力を供給し、これらのファン１４Ｆ-R、１４Ｆ-Lに与えられるべき「制御信号」の論理値を「０」（回転数が低く設定されるべきことを意味する。）に設定する。
・  「カレント状態」が「第二の状態」である場合には、「正常電源ユニット」によって供給される電力をファン１４Ｆ-R、１４Ｆ-Lの双方に供給し、これらのファン１４Ｆ-R、１４Ｆ-Lに与えられるべき「制御信号」の論理値を「０」（回転数が低く設定されるべきことを意味する。）に設定する。
・  「カレント状態」が「第三の状態」である場合には、ファン１４Ｆ-R、１４Ｆ-Lの内、「故障ファン」以外のファン（以下、「正常ファン」という。）のみに対して電力を供給し、その「正常ファン」に与えられるべき「制御信号」の論理値を「１」（回転数が高く設定されるべきことを意味する。）に設定する。
【００６０】
すなわち、ファン１４Ｆ-R、１４Ｆ-Lの内、「正常ファン」には、正常電源ユニット（ファン１４Ｆ-R、１４Ｆ-Lの双方または何れか一方）によって電力が継続して供給され、さらに、「二重化運用」の過程で何れか１つのファンが「故障ファン」となり、あるいは「片系運用」が行われている期間に限って、高速に設定される。
このように本実施形態によれば、「故障ファン」の発生に応じた強制空冷の効率の低下が「正常ファン」の回転数が高められることによって補われる。
【００６１】
したがって、本実施形態によれば、既述の第二の実施形態に比べて、プリント板５１に配置された電子回路の強制空冷の効率が高く維持され、あるいはその電子回路の熱設計および部品配置にかかわる制約が緩和されると共に、消費電力が無用に増加し、あるいは大型のファンが備えられることなく総合的な信頼性が高められる。
なお、本実施形態では、制御部５１ＣＮＴは、既述の電子回路と共に、プリント板５１上に実装されている。
【００６２】
しかし、本発明はこのような構成に限定されず、制御部５１ＣＮＴは、例えば、プリント板５１とは別に備えられ、かつ補強枠１１ＳＴ等に支持されたプリント板上に配置され、あるいは電源ユニット１４-R、１４-Lにそれぞれ備えられたプリント板１４ＰＣＢ-R、１４ＰＣＢ-Lに分散されて配置されてもよい。
また、上述した各実施形態では、電源ユニット１４-R、１４-Lにそれぞれファン１４Ｆ-R、１４Ｆ-Lが備えられている。
【００６３】
しかし、本発明は、このような構成に限定されず、例えば、電源ユニット１４-R、１４-Lにそれぞれファン１４Ｆ-R、１４Ｆ-Lが備えられず、かつこれらのファン１４Ｆ-R、１４Ｆ-Lに代わるファンが仕切り部材１１Ｐ-R、１１Ｐ-C、１１Ｐ-Lの何れかと同様に底板１１ＢＰ上に取り付けられると共に、これらの仕切り部材１１Ｐ-R、１１Ｐ-C、１１Ｐ-Lの何れにも既述の第一のスリットが形成されなくてもよい。
【００６４】
さらに、上述した各実施形態では、上カバー１３の内壁と挟持金具１３Ｐとの間に補強枠１１ＳＴが嵌挿されることによって、その上カバー１３の強度が確保され、この補強枠１１ＳＴによる「高周波電磁気雑音」の遮蔽に必要な上カバー１３との間における低インピーダンスによる電気的な接続が図られている。
しかし、本発明はこのような構成に限定されず、例えば、挟持金具１３Ｐに代えて「頂部において径が最大となる導電性のピン」が上カバー１３の内壁に突設され、そのピンの側壁および頂部に係合する切り欠きが補強枠１１ＳＴに形成されることによって構成されてもよい。
【００６５】
また、上述した各実施形態では、仕切り部材１１Ｐ-Cに形成された第一のスロットについては、例えば、既述の「二重化運転」のみにおいて電子回路が作動する場合には、形成されなくてもよく、あるいは『その仕切り部材１１Ｐ-Cを介して電源ユニット１４-R、１４-Lの間で「低周波電磁気雑音」が相互に伝搬する程度』に大きくてもよい。
さらに、上述した各実施形態では、仕切り部材１１Ｐ-Cに形成された第一のスロットに代えて、あるいはその第一のスロットに併せて、例えば、電源ユニット１４-R、１４-Lの対応する側面にこの第一のスロットと同様のスロットが形成されてもよい。
【００６６】
また、本発明は、電源ユニット１４-R、１４-Lが原則として常用冗長方式に基づいて作動する場合に限定されず、これらの電源ユニット１４-R、１４-Lのように装着される電源ユニットが単一であり、あるいは常用冗長方式以外の方式（例えば、「待機冗長方式」や「Ｎ＋１予備方式」）に基づいて作動する複数の電源ユニットが備えられる場合にも、同様に適用可能である。
【００６７】
さらに、上述した各実施形態では、基体１１の上に上カバー１３がネジ止めにより密接に取り付けられている。
しかし、本発明はこのような構成に限定されず、内部（中空部内）の所定の箇所に対するプリント板５１の収納が可能である限り、例えば、上カバー１３と基体１１とは、一体の筒体として構成されてもよい。
【００６８】
また、上述した各実施形態では、電源ユニット１４-R、１４-Lは、直方体状の筐体の一つの面の中央部に所定の間隔を隔てて装着されている。
しかし、本発明はこのような構成に限定されず、このような電源ユニットが装着される箇所は、上記の直方体状の筐体の何れの角であってもよい。
さらに、上述した各実施形態では、本発明は、プリント板５１が内部に収納される直方体状の筐体に適用されている。
【００６９】
しかし、本発明は、このような直方体状の筐体に限定されず、如何なる形状や寸法の筐体にも適用可能である。
また、本発明は上述した実施形態に限定されるものではなく、本発明の範囲において多様な形態による実施形態が可能であり、かつ構成装置の全てまたは一部に如何なる改良が施されてもよい。
【００７０】
以下、上述した各実施形態に記載された技術を階層的・多面的に整理し、付記項として列記する。
（付記１）  電子装置と並行して作動する付加装置が嵌挿される一方の開口部の縁が折り返され、かつ内部にその電子装置が収納される導電性の筒体と、
前記筒体の内壁の内、前記一方の開口部の折り返された部位より内側の内壁に支持され、その筒体の内部において前記電子装置と前記付加装置とがそれぞれ位置する２つの領域の境界に配置された補強部材と
を備えたことを特徴とする筐体。
（付記２）  電子装置と並行して作動する複数の付加装置が並行して嵌挿される一方の開口部の縁が個別に折り返され、かつ内部にその電子装置が収納される導電性の筒体と、
前記筒体の内壁の内、前記一方の開口部の折り返された部位より内側の内壁に支持され、その筒体の内部において前記電子装置と前記複数の付加装置の集合とがそれぞれ位置する２つの領域の境界に配置された補強部材と
を備えたことを特徴とする筐体。
（付記３）  付記２に記載の筐体において、
前記複数の付加装置は、
前記電子装置の強制空冷に供されるファンを個別に有し、
前記複数の付加装置が嵌挿される領域毎に前記一方の開口部を仕切り、これらの領域の間に前記強制空冷の経路の迂回路を形成する仕切り部材を備えた
ことを特徴とする筐体。
（付記４）  付記３に記載の筐体において、
前記複数の装置に個別に備えられたファンの有無または稼働状況に基づいてこれらのファンの回転数を増減し、前記強制空冷の効率を規定の範囲に維持する制御手段を備えた
ことを特徴とする筐体。
（付記５）  付記１ないし付記４の何れか１項に記載の筐体において、
前記筒体は、
前記２つの領域の開閉に供され、かつ前記一方の開口部の縁の一部または全てを縁部として有する共に、前記補強部材を支承する蓋部材を有する
ことを特徴とする筐体。
（付記６）  付記５に記載の筐体において、
前記蓋部材に近接する前記補強部材の特定の縁部は、
その蓋部材に平行となる形状を有し、
前記蓋部材は、
前記特定の縁部を挟持する
ことを特徴とする筐体。
（付記７）  付記１ないし付記６の何れか１項に記載の筐体において、
前記補強部材は、
前記電子装置から前記一方の開口部に至るその電子装置の放熱と、この一方の開口部側に対するこの電子装置で発生した電磁気雑音の放射の抑圧とを実現する穴を有する
ことを特徴とする筐体。
（付記８）  縁が折り返された開口部を有する第一の導電性の筐体の内部に収納された電子装置と並行して作動する回路と、
前記開口部に嵌挿する第一の開口部を有し、かつ前記回路が収納される第二の導電性の筐体と
を備えたことを特徴とする付加装置。
（付記９）  付記８に記載の付加装置において、
前記回路は、
前記電子装置に電力を供給する
ことを特徴とする付加装置。
（付記１０）  付記９に記載の付加装置において、
前記第一の開口部を介する前記電子装置の強制空冷に供されるファンを備えた
ことを特徴とする付加装置。
（付記１１）  付記１０に記載の付加装置において、
前記第二の導電性の筐体は、
前記付加装置に隣接して配置された他の付加装置との間に、前記強制空冷の過程における通気の迂回路となる第二の開口部を有する
ことを特徴とする付加装置。
（付記１２）  付記１０または付記１１に記載の付加装置において、
前記第一の筐体の開口部に並行して嵌挿され、かつ特定の前記付加装置と他の付加装置とに備えられたファンの稼働状況に基づいてその特定の付加装置に備えられたファンの回転数を増減し、前記強制空冷の効率を既定の範囲に維持する制御手段を備えた
ことを特徴とする付加装置。
【図面の簡単な説明】
【００７１】
【図１】本発明の第一ないし第三の実施形態の組み立て図である。
【図２】本発明の第一ないし第三の実施形態の要部の断面図である。
【図３】本発明の第一ないし第三の実施形態の内部の詳細な構造を示す図である。
【図４】本発明の第一ないし第三の実施形態にかかわる筐体の開閉の過程を示す図である。
【図５】本発明の第一ないし第三の実施形態において電源ユニットが装着される過程を示す図である。
【図６】本発明の第一および第二の実施形態の動作を説明する図である。
【図７】本発明の第三の実施形態の詳細な構成を示す図である。
【図８】本発明の第三の実施形態の動作フローチャートである。
【図９】本発明の第三の実施形態の動作を説明する図である。
【図１０】従来の筐体の構成例を示す図（１）である。
【図１１】従来の筐体の構成例を示す図（２）である。
【図１２】従来例の課題を示す図である。
【符号の説明】
【００７２】
１１  基体
１１ＢＰ  底板
１１Ｎ，１３Ｎ  切り欠き部
１１Ｊ，１４Ｐ  コネクタ
１１Ｐ  仕切り部材
１１ＳＦ  サイドフレーム
１１ＳＴ  補強枠
１２，５３  前カバー
１３  上カバー
１３Ｂ  折曲部
１３Ｅ  縁部
１３Ｐ  挟持金具
１３ＳＷ  側壁
１４，５４  電源ユニット
１４Ｒ  放熱フィン
１４Ｃ  電源カバー
１４ＣＢ  ブレーカ
１４Ｆ，５９  ファン
１４ＰＣＢ，５１，６１  プリント板
１４ＰＳ，６２  電源回路
５１ＣＮＴ  制御部
５１Ｒ  接栓座
５２  筒体
５５  筐体
５５Ｂ  板状体
５６  化粧板
５７  通気孔
５８  化粧ビス
６０Ｐ  接栓
７１  バネ
７２  補強部材
【図１】
2005183651.tif 000003
【図２】
2005183651.tif 000004
【図３】
2005183651.tif 000005
【図４】
2005183651.tif 000006
【図５】
2005183651.tif 000007
【図６】
2005183651.tif 000008
【図７】
2005183651.tif 000009
【図８】
2005183651.tif 000010
【図９】
2005183651.tif 000011
【図１０】
2005183651.tif 000012
【図１１】
2005183651.tif 000013
【図１２】
2005183651.tif 000014